(57)【要約】【課題】ヒートシンク内に形成された流体を流す流路の長さ方向において温度差を小さくする。【解決手段】本発明によるヒートシンク１は、発熱部品２、３の熱を受ける受熱部材４と、受熱部材４上に設置された複数の放熱フィン５と、複数の放熱フィン５を覆うカバー部材６とを備える。各放熱フィン５の間には、流体を流す流路が形成されている。また、カバー部材６は受熱部材４上に設置されていて流路の両端を開放している。さらに、カバー部材６には、カバー部材６外の流体を流路内の流体に流入させる少なくとも一つの孔１１が形成されている。【選択図】図１Ａ
2016207928.tif 000002
【特許請求の範囲】
【請求項１】
複数の発熱部品を冷却するヒートシンクであって、
第一の発熱部品（２）が配置されるべき第一配置場所と第二の発熱部品（３）が配置されるべき第二配置場所とを備えた第一面と、該第一面の反対面である第二面と、を有し、各前記発熱部品の熱を受ける受熱部材（４）と、
前記第二面に設置された複数の放熱フィン（５）と、
前記複数の放熱フィン（５）を少なくとも部分的に覆うカバー部材（６）と、を備え、
各前記放熱フィン（５）の間には、流体を流す流路（７）が形成されており、前記カバー部材（６）は前記流路（７）の両端を開放しており、
前記カバー部材（６）には、前記カバー部材（６）外の流体を前記流路（７）内の流体に流入させる少なくとも一つの孔（１１〜１４）が形成されている、ヒートシンク。
【請求項２】
前記第一配置場所および前記第二配置場所は、前記流路（７）の長さ方向に沿って順次配列されており、
前記孔（１１〜１４）は、前記第一配置場所と前記第二配置場所との間に対応する前記カバー部材（６）の領域に形成されている、請求項１に記載のヒートシンク。
【請求項３】
前記孔（１４）は、前記カバー部材（６）の内壁面（６ａ）の垂線に対して前記流路（７）の下流側に斜めに傾けられた線に沿って形成されている、請求項１または２に記載のヒートシンク。
【請求項４】
前記受熱部材（４）と前記放熱フィン（５）と前記カバー部材（６）とが一体形成されている、請求項１から３のいずれか一項に記載のヒートシンク。
【請求項５】
前記流路（７）を一方向に通過する前記流体の流れを発生させる装置（１５）をさらに備えた、請求項１から４のいずれか一項に記載のヒートシンク。
【請求項６】
前記カバー部材（６）は各前記放熱フィン（５）の、前記受熱部材（４）とは反対側の部位に接続されており、前記流路（７）は、前記受熱部材（４）と前記放熱フィン（５）と前記カバー部材（６）とによって囲まれた空洞からなる、請求項１から５のいずれか一項に記載のヒートシンク。
【発明の詳細な説明】
【技術分野】
【０００１】
本発明は、発熱部品を冷却するヒートシンクに関し、特に、複数の発熱部品が配置されるヒートシンクに関する。
【背景技術】
【０００２】
従前より、発熱部品の冷却のためにヒートシンクが使用されている（例えば、特許文献１および特許文献２参照）。
【０００３】
従来のヒートシンクは、発熱部品が配置されるべき受熱部材と、互いに所定の間隔を置いて受熱部材に固定された複数の放熱フィンとを備える。各放熱フィンの間には流体が流れる流路が形成されており、流路には、流入口と流出口が存在する。このような構成によると、発熱部品の熱は受熱部材を介して放熱フィンに伝わる。各放熱フィンに伝わった熱は、各放熱フィンの間の流路を流れる流体によってヒートシンク外に放熱される。
【先行技術文献】
【特許文献】
【０００４】
【特許文献１】特許第５０４３０５９号公報
【特許文献２】特許第４５３００５４号公報
【発明の概要】
【発明が解決しようとする課題】
【０００５】
上述したような従来のヒートシンクにおいて、受熱部材上に複数の発熱部品を、放熱フィンの間に形成された流路の長さ方向に沿って順次配列した場合には、次のような問題が発生する。
【０００６】
流路を流れる流体は流路の上流から下流に向かう間に受熱部材や放熱フィンから熱を受けるため、流体の温度が上昇する。それにより、受熱部材の、流路の下流側に対応する部分に配置された発熱部品（以下、下流側の発熱部品と略称する。）の温度は、受熱部材の、流路の上流側に対応する部分に配置された発熱部品（以下、上流側の発熱部品と略称する。）よりも高くなりやすい。そのため、下流側の発熱部品としては、上流側の発熱部品よりも耐熱性の高いものを使用する必要がある。さらに、発熱部品の温度上昇を避けるために発熱部品の配置場所が制限されることもある。したがって、発熱部品とヒートシンクとを含む機器のコストが上昇し、また発熱部品を備えた機器の設計も難しくなるといった問題が発生する。
【０００７】
そこで本発明は、上述したような問題点に鑑み、ヒートシンク内に形成された流体を流す流路の長さ方向において温度差を小さくすることができるヒートシンクを提供することを目的とする。
【課題を解決するための手段】
【０００８】
本発明の第一態様によれば、複数の発熱部品を冷却するヒートシンクであって、受熱部材と複数の放熱フィンとカバー部材とを備えたヒートシンクが提供される。この第一態様において、受熱部材は、第一の発熱部品が配置されるべき第一配置場所と第二の発熱部品が配置されるべき第二配置場所とを備えた第一面と、該第一面の反対面である第二面と、を有していて、各発熱部品の熱を受ける。複数の放熱フィンは第二面に設置されている。カバー部材は、複数の放熱フィンを少なくとも部分的に覆っている。そして、各放熱フィンの間には、流体を流す流路が形成されており、カバー部材は、流路の両端を開放している。
さらに、第一態様のヒートシンクにおいて、カバー部材には、カバー部材外の流体を流路内の流体に流入させる少なくとも一つの孔が形成されている。この第一態様により上述の課題が解決される。しかし、本発明は、第一態様に限られず、以下の第二態様ないし第六態様のいずれかのヒートシンクを提供することもできる。
【０００９】
本発明の第二態様によれば、第一態様のヒートシンクであって、第一配置場所および第二配置場所は流路の長さ方向に沿って順次配列されており、孔は、第一配置場所と第二配置場所との間に対応するカバー部材の領域に形成されている、ヒートシンクが提供される。
【００１０】
本発明の第三態様によれば、第一態様または第二態様のヒートシンクであって、孔は、カバー部材の内壁面の垂線に対して流路の下流側に斜めに傾けられた線に沿って形成されている、ヒートシンクが提供される。
【００１１】
本発明の第四態様によれば、第一態様から第三態様のいずれかのヒートシンクであって、受熱部材と放熱フィンとカバーとが一体形成されている、ヒートシンクが提供される。
【００１２】
本発明の第五態様によれば、第一態様から第四態様のいずれかのヒートシンクであって、流路を一方向に通過する流体の流れを発生させる装置をさらに備えた、ヒートシンクが提供される。
【００１３】
本発明の第六態様によれば、第一態様から第五態様のいずれかのヒートシンクであって、カバー部材は各放熱フィンの、受熱部材とは反対側の部位に接続されており、流路は、受熱部材と放熱フィンとカバー部材とによって囲まれた空洞からなる、ヒートシンクが提供される。
【発明の効果】
【００１４】
本発明の第一態様によれば、受熱部材上の放熱フィンの間に形成された流路を流体が流れるとき、放熱フィンを覆うカバー部材に形成された孔から流路内に、カバー部材外の低温の流体を流入させることができる。そのため、流体が流路の上流から下流に向かう間に受熱部材や放熱フィンからの熱により温度が上昇しても、流路の途中で流路内の流体の温度を低下させることができる。その結果、流路の長さ方向において上流側の流体と下流側の流体との温度差を小さくすることができる。流路の下流側における流体の温度上昇は抑えられるので、下流側の発熱部品に耐熱性の比較的高いものを使用しないで済む。よって、発熱部品とヒートシンクとを含む機器のコストアップを抑えることができる。また、下流側の発熱部品の温度上昇は抑えられるため、機器の設計において、下流側の発熱部品を配置する場所に対する制限も少なくなる。
【００１５】
本発明の第二態様によれば、受熱部材上に複数の発熱部品の各設置場所が流路の長さ方向に沿って順次配列されている場合に、ヒートシンク外の低温の流体を、上流側の発熱部品と下流側の発熱部品との間に対応する流路の領域に流入させることができる。それにより、上流側の発熱部品の熱により温度が上昇した流体を冷却してから、下流側の発熱部品に対応する流路の領域に流せるため、上記の第一態様の効果が高まる。
【００１６】
本発明の第三態様によれば、カバー部材外の流体を流路内に流入させる孔の向きを流路上流側から下流側に斜めに傾けることにより、流路内を流れる流体の流れが、孔から流路内に流入する流体によって阻害されにくくなる。それにより、流路内の流体の流速の低下を抑えることができるので、カバー部材に孔が有っても流路内の流体に対する冷却効果を維持できる。また、そのような斜めの孔により、ヒートシンク外部から視覚的に流路内が見えにくくなる。
【００１７】
本発明の第四態様によれば、受熱部材と放熱フィンとカバー部材とが一体形成されていることにより、比較的高い放熱性能を安価に得られるとともに、部品点数も抑えることができる。
【００１８】
本発明の第五態様によれば、流路を一方向に通過する流体の流れを強制的に発生させる装置を備えることにより、カバー部材外の低温の流体が流路内に流入し易くなるので、流路内の流体に対する冷却効果を高めることができる。
【００１９】
本発明の第六態様によれば、受熱部材と放熱フィンとカバー部材とによって囲まれた空洞を流路とすることにより、低抵抗すなわち低い圧力損失の流路が形成される。それにより、流路内を流れる流体の流速は低下しにくいため、流路内を流れる流体により受熱部材や放熱フィンの熱を奪う効果は高くなる。
【００２０】
添付図面に示される本発明の典型的な実施形態の詳細な説明から、本発明のこれらの目的、特徴および利点ならびに他の目的、特徴および利点がさらに明確になるであろう。
【図面の簡単な説明】
【００２１】
【図１Ａ】第一実施形態のヒートシンクの構造を示す斜視図である。
【図１Ｂ】図１Ａに示されたヒートシンクの裏側を示す斜視図である。
【図１Ｃ】図１Ａに示されるヒートシンクをＡ−Ａ線に沿って切断した断面斜視図である。
【図１Ｄ】図１Ａに示されるヒートシンクをＡ−Ａ線に沿って切断した断面図であって流体の流れを説明する図である。
【図２Ａ】第二実施形態のヒートシンクの構造を示す断面斜視図である。
【図２Ｂ】第二実施形態のヒートシンクの断面図であって流体の流れを説明する図である。
【図３Ａ】第三実施形態のヒートシンクの構造を示す斜視図である。
【図３Ｂ】第三実施形態のヒートシンクの断面図であって流体の流れを説明する図である。
【図４Ａ】第四実施形態のヒートシンクの断面図であって流体の流れを説明する図である。
【図４Ｂ】第四実施形態のヒートシンクの構造を示す斜視図である。
【図４Ｃ】第四実施形態のヒートシンクに形成された通流口の形状を示す要部拡大断面図である。
【図５】第五実施形態のヒートシンクの断面図であって流体の流れを説明する図である。
【発明を実施するための形態】
【００２２】
次に、本発明の実施形態について図面を参照して説明する。以下の図面において、同様の部材には同様の参照符号が付けられている。理解を容易にするために、これらの図面は縮尺を適宜変更している。また、図面においては本発明のヒートシンクの一例を示しており、本発明は図示された態様に限定されるものではない。
【００２３】
（第一実施形態）
図１Ａは第一実施形態のヒートシンクの構造を示す斜視図、図１Ｂは図１Ａに示されたヒートシンクの裏側を示す斜視図である。さらに、図１Ｃは、図１Ａに示されるヒートシンクをＡ−Ａ線に沿って切断した断面斜視図である。図１Ｄは、図１Ａに示されるヒートシンクをＡ−Ａ線に沿って切断した断面図であって流体の流れを説明する図である。
【００２４】
図１Ａ〜図１Ｄを参照すると、第一実施形態のヒートシンク１は、複数の発熱部品２、３の熱を受ける板状の受熱部材４を備える。発熱部材２，３は板状の受熱部材４の両面のうちの一方の面（第一面）に配置されている。また、発熱部品２、３はＩＣ、ＣＰＵ、ＩＧＢＴなどの半導体装置や、ＬＥＤ、レーザなどの発光装置であり、受熱部材４の長手方向に沿って順次配置されている。
【００２５】
受熱部材４の両面のうちの他方の面（第二面）には、板状の放熱フィン５が設けられている。放熱フィン５は長方形板状に形成されていて受熱部材４の他方の面に対して垂直に配置されている。また、放熱フィン５は、受熱部材４の長手方向の一端から他端まで延びている。そして、複数の放熱フィン５が所定の間隔を置いて互いに平行に配置されている。
【００２６】
さらに、受熱部材４の他方の面には、すべての放熱フィン５を覆うようにカバー部材６が設けられている。さらに、各放熱フィン５の、受熱部材４とは反対側の部位はカバー部材６と近接または接続されている。これにより、受熱部材４と放熱フィン５とカバー部材６とによって囲まれた空洞が形成される。そのような空洞は、気体、液体などの流体を流す流路７とされる。流路７は、各放熱フィン５の間に形成されるため、複数存在する。各々の流路７には流体が図１Ｄ中の矢印１０で示されるように流れる。また、受熱部材４、放熱フィン５、およびカバー部材６は、熱伝導率の高い金属、例えばアルミニウム、銅などから作製されているとよい。
【００２７】
流路７の一端は、流体を流路７内に流入させる流入口９であり、流路７の他端は、流体を流路７内から流出させる流出口８である。そして、カバー部材６は流路７の両端をそれぞれ開放している。
【００２８】
さらに、本実施形態においては、図１Ｂに示されるように、カバー部材６に一つの通流口１１が形成されており、それにより、ヒートシンク１内のすべての流路７とヒートシンク１外の空間とが互いに連通している。図１Ｂから分かるように、矩形の通流口１１が流路７の長さ方向に対して垂直に延びている。そして、図１Ｄに示されるように、カバー部材６に形成された通流口１１により、ヒートシンク１外の流体が各流路７内に流入できるようになっている。さらに、通流口１１は、図１Ｄに示されるように、発熱部品２と発熱部品３との間に対応するカバー部材６の領域に形成されている。
【００２９】
図１Ａ〜図１Ｄに示されるように、発熱部品２、３などが配置されるべき複数の配置場所が受熱部材４上に流路７の長さ方向に沿って順次配列されている。そのような態様において、上記の通流口１１がカバー部材６に形成されていない場合、各流路７を流れる流体は、流路７の上流から下流に向かう間に受熱部材４および放熱フィン５から熱を受けるので、流体の温度が上昇する。それにより、下流側の発熱部品２の温度は上流側の発熱部品３よりも高くなる。その結果、下流側の発熱部品２と上流側の発熱部品３との温度差が大きくなる。
これに対し、本願においては、図１Ａ〜図１Ｄに示されるように流路７の途中に通流口１１が設けられている。これにより、ヒートシンク１外の低温の流体が通流口１１から流路７の途中に流入して、流路７内の流体を冷やす。その結果、下流側の発熱部品２の温度上昇は抑えられるため、下流側の発熱部品２と上流側の発熱部品３との温度差は小さくなる。
【００３０】
特に、図１Ｄから分かるように、発熱部品２と発熱部品３との間に対応するカバー部材６の領域に通流口１１が設けられている。これにより、上流側の発熱部品３の熱により温度が上昇した流体をヒートシンク１外の低温の流体により冷却してから、下流側の発熱部品２に対応する流路７の領域に流すことができる。このため、流路７の長さ方向における流体の温度差の発生を確実に抑えられる。
【００３１】
以上に説明したように第一実施形態によれば、流体を流す流路７の長さ方向に沿って複数の発熱部品２、３が順次配置されるヒートシンク１について、流路７の長さ方向におけるヒートシンク１の温度差を小さくすることができる。それにより、下流側の発熱部品２に耐熱性の比較的高いものを使用しないで済むので、発熱部品２、３とヒートシンク１とを含む機器のコストアップを抑えることができる。さらに、下流側の発熱部品２の温度上昇は抑えられるため、機器の設計において、下流側の発熱部品２を配置する場所に対する制限も少なくなる。
【００３２】
なお、カバー部材６外の流体が流通口１１を通じてカバー部材６内の流路７に流入するのは、次の理由からである。カバー部材６外の流体が流入口９より流路７内に流入すると流体の流速が上昇し、その一方で流路７内の圧力は低下する。その結果、流路７内の圧力はカバー部材６外の圧力よりも低くなるため、カバー部材６の通流口１１から、カバー部材６外の流体が流路７内に流入する。このような作用は、流体が気体でも液体でも同じである。
【００３３】
また、流路７に流れる流体が気体である場合、図１Ａ〜図１Ｄに示されるように、流路７の長さ方向が鉛直方向となるようにヒートシンク１を使用することが好ましい。鉛直方向の流路７内の流体が受熱部材４や放熱フィン５からの熱により熱せられると、流路７内には自然対流による上昇流が発生する。その結果、特別な装置を使用せずに、カバー部材６外の流体を流入口９から流路７内に流入させて流出口８から流出させることができる。また、流路７内に流体の流れが発生するため、上述した作用により、カバー部材６の通流口１１から、カバー部材６外の流体が流路７内に流入するようになる。
【００３４】
勿論、ヒートシンク１の使用状態は、流路７の長さ方向が鉛直方向となるように限定されるものではない。自然対流による上昇流が流路７内に発生するような使用状態であればよい。
【００３５】
（第二実施形態）
次に第二実施形態について説明する。ここでは、第一実施形態に対して異なる点のみを説明することとする。
図２Ａは第二実施形態のヒートシンクの構造を示す断面斜視図である。図２Ｂは第二実施形態のヒートシンクの断面図であって流体の流れを説明する図である。なお、図２Ａおよび図２Ｂは、上述した第一実施形態の説明に使用した図１Ｃおよび図１Ｄをそれぞれ変更した図である。
【００３６】
第二実施形態においては、図２Ａおよび図２Ｂに示されるように、カバー部材６に通流口１１、１２（以下、第一通流口１１、第二通流口１２と呼ぶ。）が形成されている。第一通流口１１は、上述した第一実施形態と同じように、発熱部品２と発熱部品３との間に対応するカバー部材６の領域に形成されている。さらに、第二実施形態においては、第二通流口１２が、流出口８と第一通流口１１との間に対応するカバー部材６の領域に形成されている。その他の構成については第一実施形態と同じである。
【００３７】
上述したように第二通流口１２を設けることにより、下流側の発熱部品２の温度上昇は、第一実施形態と比べて一層抑えられる。それにより、第二実施形態は、第一実施形態と比べて、下流側の発熱部品２と上流側の発熱部品３との温度差を小さくすることができる。
【００３８】
（第三実施形態）
次に第三実施形態について説明する。ここでは、第一実施形態に対して異なる点のみを説明することとする。
図３Ａは第三実施形態のヒートシンクの構造を示す斜視図である。図３Ｂは第三実施形態のヒートシンクの断面図であって流体の流れを説明する図である。なお、図３Ａおよび図３Ｂは、上述した第一実施形態の説明に使用した図１Ｂおよび図１Ｄをそれぞれ変更した図である。
【００３９】
上述した第一実施形態においては、図１Ｂに示されるようにカバー部材６に一つの通流口１１を設けることにより、複数の流路７をヒートシンク１外の空間と連通させている。これに対し、第三実施形態においては、図３Ａおよび図３Ｂに示されるように、カバー部材６に複数の通流口１３が流路７ごとに形成されている。複数の通流口１３は、流路７の長さ方向に対して垂直な方向に順次配置されている。また、各通流口１３は円形状の穴により形成されている。各通流口１３は、上述した第一実施形態と同じように、発熱部品２と発熱部品３との間に対応するカバー部材６の領域に形成されている。その他の構成については第一実施形態と同じである。
【００４０】
第三実施形態によれば、上述した第一実施形態と同様の効果が得られる。つまり、下流側の発熱部品２に耐熱性の比較的高いものを使用しないで済むため、発熱部品２、３とヒートシンク１とを含む機器のコストアップを抑えることができる。さらに、下流側の発熱部品２の温度上昇は抑えられるので、機器の設計において、下流側の発熱部品２を配置する場所に対する制限も少なくなる。
【００４１】
さらに、第三実施形態においても、上述した第二実施形態と同様に、通流口１３とは別の通流口が、流出口８と通流口１１との間に対応するカバー部材６の領域に形成されていてもよい（図２Ａ、図２Ｂ参照）。このことにより、第一実施形態と比べて発熱部品２と発熱部品３との温度差を小さくすることができる。
【００４２】
なお、第三実施形態においては、通流口１３が、ヒートシンク１内に形成されたすべての流路７にそれぞれ配置されている。しかし、本発明においては、複数の流路７から適宜選択される少なくとも１つの流路７に対応する通流口１３が形成されていてもよい。また、図３Ａに示される通流口１３は円形状の穴により形成されているが、通流口１３は、円形状とは異なる形状の穴により形成されていてもよい。
【００４３】
（第四実施形態）
次に第四実施形態について説明する。ここでは、第一実施形態に対して異なる点のみを説明することとする。
図４Ａは第四実施形態のヒートシンクの断面図であって流体の流れを説明する図である。図４Ｂは第四実施形態のヒートシンクの構造を示す斜視図である。なお、図４Ａおよび図４Ｂは、上述した第一実施形態の説明に使用した図１Ｄおよび図１Ｃをそれぞれ変更した図となっている。
【００４４】
第四実施形態においては、図４Ａおよび図４Ｂに示されるように、第一実施形態の通流口１１とは異なる形状の通流口１４が形成されている。具体的には、第一実施形態の通流口１１をなす孔の断面形状は図１Ｄに示されるように矩形形状であるのに対し、第四実施形態の通流口１４をなす孔の断面形状は、図４Ａに示されるように平行四辺形状である。その他の構成については第一実施形態と同じである。
【００４５】
さらに、第四実施形態の通流口１４について詳述する。
図４Ｃは第四実施形態のヒートシンクに形成された通流口１４の形状を示す要部拡大断面図である。
【００４６】
第四実施形態においては、図４Ｃに示されるように、通流口１４が形成されたカバー部材６の壁部は一定の厚みを有している。そして、カバー部材６における通流口１４の部分を受熱部材４の一方の面に対して垂直、かつ、流路７の長さ方向に対して平行な面によって切断した断面形状が、平行四辺形状である。特に、カバー部材６の内壁面６ａの垂線Ｐに対して流路７の下流側に斜めに傾けられた線Ｑに沿って孔を形成することにより、通流口１４が形成されている。そのため、流路７内を流れる流体の流れ１０が、通流口１４から流路７内に流入する流体によって阻害されにくい。
これに対し、図１Ｄに示される第一実施形態の通流口１１はカバー部材６の内壁面に対して垂直に形成された孔であるため、通流口１１から流路７内に流入する流体の向きが流路７内を流れる流体と直交する。このような向きの流体は流路７内の流体の流れ１０に対して抵抗となって、流路７内の流体の流速を低下させるおそれがある。
【００４７】
よって、第四実施形態の通流口１４は、第一実施形態の通流口１１と比べて、流路７内の流体の流れ１０に対する抵抗を抑えることができる。さらに、第一実施形態の通流口１１と比べて、流路７内の流体の流速が早くなるため、流路７内の流体を冷却する効果も高い。また、図４Ｃに示されるように形成された通流口１４によれば、ヒートシンク１外から視覚的に流路７内が見えにくくなる効果がある。
【００４８】
なお、第四実施形態においても、上述した第二実施形態と同様に、通流口１４とは別の通流口が、流出口８と通流口１１との間に対応するカバー部材６の領域に形成されていてもよい（図２Ａ、図２Ｂ参照）。このことにより、第一実施形態と比べて発熱部品２と発熱部品３との温度差を小さくすることができる。
【００４９】
（第五実施形態）
次に第五実施形態について説明する。ここでは、第一実施形態に対して異なる点のみを説明することとする。
図５は第五実施形態のヒートシンクの断面図であって流体の流れを説明する図である。
第五実施形態においては、図５に示されるように、ヒートシンク１に形成された流体の流出口８にファンモータ１５が取付けられている。ファンモータ１５は、図５に示されるような流体の流れ１０を強制的に発生させる。つまり、ファンモータ１５により、強制的に、カバー部材６外の流体を流入口９および通流口１１から流路７内に流入させて流出口８から流出させることができる。その他の構成については第一実施形態と同じである。
【００５０】
特に、ファンモータ１５を設置することにより、第一実施形態と比べて、ヒートシンク１外の低温の流体が通流口１１から流路７内に流入し易くなる。それにより、流路７内において温度が上昇した流体の温度を下げる効果が高まる。
【００５１】
なお、ファンモータ１５の設置位置は、流出口８付近に限定されず、流路７の途中、通流口１１付近、あるいは流入口９付近に設置されていてもよい。また、流路７を一方向に通過する流体の流れ１０を強制的に発生させる装置は、ファンモータ１５に限られず、ポンプやコンプレッサなどの回転機であってもよい。
【００５２】
また、上述したようにファンモータ、ポンプ、コンプレッサなどの回転機を使用する思想は、流路７内に流入させる流体が気体でも液体でも、第一実施形態から第四実施形態において説明したヒートシンク１のいずれにも適用可能である。
【００５３】
（その他の実施形態）
以上、第一実施形態から第五実施形態を例示して本発明を説明したが、本発明は、例示した実施形態に限定されるものではない。
本発明は、ヒートシンク内の流路を流れる流体の温度がヒートシンク上の発熱部品の熱によって上昇したとしても、流路内の流体を冷却するようにヒートシンク外の流体を流路の途中から流路内に進入させられる態様であればよい。よって、本発明のヒートシンクには、ヒートシンク外の流体をヒートシンク内の流路に通流させる通流口が形成されていればよい。そして、通流口の最適な位置、形状、寸法、および数は、ヒートシンクの寸法、ヒートシンクの周囲環境、あるいはヒートシンク上に配置される発熱部品の数および場所などに応じて変更可能である。
【００５４】
例えば、ヒートシンク１の構造は、各実施形態において説明した構造に限られず、受熱部材４と放熱フィン５とカバー部材６とが一体形成されている押出成形構造であってもよい。あるいは、ヒートシンク１の構造は、受熱部材４と放熱フィン５とカバー部材６とがろう付けまたはかしめによって固定されている構造であってもよい。但し、受熱部材４と放熱フィン５とカバー部材６とが一体形成された構造によれば、比較的高い放熱性能を安価に得られるとともに、部品点数も抑えることができる。
【００５５】
また、放熱フィン５も、第一実施形態から第五実施形態において説明したような一枚の長方形板状のものに限定されない。例えば、一枚の放熱フィン５が複数の放熱部分に分割されていてもよい。さらに、カバー部材６も、複数の放熱フィン５を少なくとも部分的に覆っていればよい。但し、各実施形態のように板状の受熱部材４、放熱フィン５、およびカバー部材６によって囲まれた空洞を流路７とすることにより、低抵抗すなわち低い圧力損失の流路７が形成される。その結果、流路７内を流れる流体の流速は低下しにくくなるため、流路７内を流れる流体により受熱部材４や放熱フィン５の熱を奪う効果は高くなる。
【００５６】
なお、以上では典型的な実施形態を示したが、本発明は上述の実施形態に限定されず、本発明の思想を逸脱しない範囲で上述の実施形態を様々な形、構造や材料などに変更可能である。
【符号の説明】
【００５７】
１    ヒートシンク
２、３    発熱部品
４    受熱部材
５    放熱フィン
６    カバー部材
６ａ    内壁面
７    流路
８    流出口
９    流入口
１１〜１４    通流口
１５    ファンモータ
【図１Ａ】
2016207928.tif 000003
【図１Ｂ】
2016207928.tif 000004
【図１Ｃ】
2016207928.tif 000005
【図１Ｄ】
2016207928.tif 000006
【図２Ａ】
2016207928.tif 000007
【図２Ｂ】
2016207928.tif 000008
【図３Ａ】
2016207928.tif 000009
【図３Ｂ】
2016207928.tif 000010
【図４Ａ】
2016207928.tif 000011
【図４Ｂ】
2016207928.tif 000012
【図４Ｃ】
2016207928.tif 000013
【図５】
2016207928.tif 000014